(57)【要約】【課題】電池パックのサイズや重量が増大した場合でも、ユーザが電池パックの取り扱いを容易に行うことが可能な技術を提供する。【解決手段】本明細書は、電池パックを開示する。前記電池パックは、電気機器または充電器に着脱可能であってもよい。前記電池パックは、電池セルと、前記電池セルを収容するケースと、前記電気機器または前記充電器に係合可能な係合部と、ユーザからの操作に応じて、前記係合部を、前記電気機器または前記充電器に係合する状態から、前記電気機器または前記充電器に係合しない状態に切り換える操作部と、貫通孔を備えており、前記ユーザが前記貫通孔に指を貫通させて握り込むことが可能な把持部を備えていてもよい。前記操作部と前記把持部は、前記ケースの同じ側に配置されていてもよい。【選択図】図４
2020107438.tif 000002
【特許請求の範囲】
【請求項１】
電気機器または充電器に着脱可能な電池パックであって、
電池セルと、
前記電池セルを収容するケースと、
前記電気機器または前記充電器に係合可能な係合部と、
ユーザからの操作に応じて、前記係合部を、前記電気機器または前記充電器に係合する状態から、前記電気機器または前記充電器に係合しない状態に切り換える操作部と、
貫通孔を備えており、前記ユーザが前記貫通孔に指を貫通させて握り込むことが可能な把持部を備えており、
前記操作部と前記把持部が、前記ケースの同じ側に配置されている、電池パック。
【請求項２】
前記把持部が、前記ケースと一体的に形成されている、請求項１の電池パック。
【請求項３】
前記把持部を覆う保護膜をさらに備えている、請求項１または２の電池パック。
【請求項４】
前記把持部が、前記ケースとは別個の部品として設けられている、請求項１の電池パック。
【請求項５】
前記把持部が、前記ケースに両端が取り付けられたベルトである、請求項４の電池パック。
【請求項６】
前記把持部が、前記ケースに両端が取り付けられた金属製のハンドルである、請求項４の電池パック。
【請求項７】
前記電池パックの重量が、２．０ｋｇ以上である、請求項１から６の何れか一項の電池パック。
【請求項８】
前記電池パックの高さが、１００ｍｍ以上である、請求項１から７の何れか一項の電池パック。
【発明の詳細な説明】
【技術分野】
【０００１】
本明細書によって開示される技術は、電池パックに関する。
【背景技術】
【０００２】
特許文献１に、電気機器または充電器に着脱可能な電池パックが開示されている。前記電池パックは、電池セルと、前記電池セルを収容するケースと、前記電気機器または前記充電器に係合可能な係合部と、ユーザからの操作に応じて、前記係合部を、前記電気機器または前記充電器に係合する状態から、前記電気機器または前記充電器に係合しない状態に切り換える操作部を備えている。
【先行技術文献】
【特許文献】
【０００３】
【特許文献１】特開２０１３−４５５１９号公報
【発明の概要】
【発明が解決しようとする課題】
【０００４】
電池パックを高容量化するために、ケースに収容される電池セルの個数やサイズを増加させると、電池パックのサイズが大きくなるとともに、電池パックの重量も増大する。電池パックのサイズや重量が増大すると、ユーザが電池パックを持ち運んだり、電池パックを電気機器や充電器に着脱する際の取り扱いが困難となる。本明細書では、電池パックのサイズや重量が増大した場合でも、ユーザが電池パックの取り扱いを容易に行うことが可能な技術を提供する。
【課題を解決するための手段】
【０００５】
本明細書は、電池パックを開示する。前記電池パックは、電気機器または充電器に着脱可能であってもよい。前記電池パックは、電池セルと、前記電池セルを収容するケースと、前記電気機器または前記充電器に係合可能な係合部と、ユーザからの操作に応じて、前記係合部を、前記電気機器または前記充電器に係合する状態から、前記電気機器または前記充電器に係合しない状態に切り換える操作部と、貫通孔を備えており、前記ユーザが前記貫通孔に指を貫通させて握り込むことが可能な把持部を備えていてもよい。前記操作部と前記把持部は、前記ケースの同じ側に配置されていてもよい。
【０００６】
上記の構成によれば、電池パックを運搬する際には、ユーザは、指を貫通孔に貫通させて把持部を握り込むことで、電池パックを容易に持ち上げることができる。また、上記の構成によれば、電池パックを電気機器や充電器から取り外す際には、ユーザは、指（例えば人差し指、中指、薬指および小指）を把持部にかけた状態で、他の指（例えば親指）で操作部を操作することで、電池パックを電気機器や充電器から容易に取り外すことができる。上記の構成によれば、電池パックのサイズや重量が増大した場合でも、ユーザが電池パックの取り扱いを容易に行うことができる。
【図面の簡単な説明】
【０００７】
【図１】実施例１に係る電池パック２を前方右方上方から見た斜視図である。
【図２】実施例１に係る電池パック２の電池モジュール１０を前方右方上方から見た斜視図である。
【図３】実施例１に係る電池パック２の複数の電池セル２０を前方右方上方から見た斜視図である。
【図４】実施例１に係る電池パック２を前方右方下方から見た斜視図である。
【図５】実施例１に係る電池パック２の前方の部分の縦断面図である。
【図６】実施例２に係る電池パック１０２を前方右方上方から見た斜視図である。
【図７】実施例２に係る電池パック１０２を上方から見た平面図である。
【図８】実施例３に係る電池パック２０２を前方右方上方から見た斜視図である。
【図９】実施例３に係る電池パック２０２を上方から見た平面図である。
【発明を実施するための形態】
【０００８】
１またはそれ以上の実施形態において、電池パックは、電気機器または充電器に着脱可能であってもよい。前記電池パックは、電池セルと、前記電池セルを収容するケースと、前記電気機器または前記充電器に係合可能な係合部と、ユーザからの操作に応じて、前記係合部を、前記電気機器または前記充電器に係合する状態から、前記電気機器または前記充電器に係合しない状態に切り換える操作部と、貫通孔を備えており、前記ユーザが前記貫通孔に指を貫通させて握り込むことが可能な把持部を備えていてもよい。前記操作部と前記把持部は、前記ケースの同じ側に配置されていてもよい。
【０００９】
上記の構成によれば、電池パックを運搬する際には、ユーザは、指を貫通孔に貫通させて把持部を握り込むことで、電池パックを容易に持ち上げることができる。また、上記の構成によれば、電池パックを電気機器や充電器から取り外す際には、ユーザは、指（例えば人差し指、中指、薬指および小指）を把持部にかけた状態で、他の指（例えば親指）で操作部を操作することで、電池パックを電気機器や充電器から容易に取り外すことができる。上記の構成によれば、電池パックのサイズや重量が増大した場合でも、ユーザが電池パックの取り扱いを容易に行うことができる。
【００１０】
１またはそれ以上の実施形態において、前記把持部は、前記ケースと一体的に形成されていてもよい。
【００１１】
上記の構成によれば、部品点数を増大させることなく、電池パックに把持部を設けることができる。
【００１２】
１またはそれ以上の実施形態において、前記電池パックは、前記把持部を覆う保護膜をさらに備えていてもよい。
【００１３】
上記の構成によれば、ユーザが把持部を握り込んで電池パックを持ち上げる際や、ユーザが把持部に指をかけて電気機器や充電器から電池パックを取り外す際に、ユーザの指にかかる負荷を分散させることができる。
【００１４】
１またはそれ以上の実施形態において、前記把持部は、前記ケースとは別個の部品として設けられていてもよい。
【００１５】
上記の構成によれば、貫通孔を備える把持部をケースと一体的に形成する必要がないので、ケースの強度低下を抑制することができる。
【００１６】
１またはそれ以上の実施形態において、前記把持部は、前記ケースに両端が取り付けられたベルトであってもよい。
【００１７】
上記の構成によれば、簡素な構成によって、電池パックに把持部を設けることができる。
【００１８】
１またはそれ以上の実施形態において、前記把持部は、前記ケースに両端が取り付けられた金属製のハンドルであってもよい。
【００１９】
上記の構成によれば、簡素な構成によって、電池パックに把持部を設けることができる。
【００２０】
１またはそれ以上の実施形態において、前記電池パックの重量は、２．０ｋｇ以上であってもよく、例えば２．３ｋｇ以上であってもよく、例えば２．６ｋｇ以上であってもよい。
【００２１】
一般に、電池パックの重量が２．０ｋｇ以上になると、電池パックの重量が重くなるほど、ユーザが電池パックを持ち運んだり、電池パックを電気機器や充電器に着脱する際の取り扱いが困難となる。上記の構成によれば、電池パックの同じ側に、操作部と、貫通孔を備える把持部が設けられているので、ユーザは、電池パックを持ち運んだり、電池パックを電気機器や充電器に着脱する際の取り扱いを容易に行うことができる。
【００２２】
１またはそれ以上の実施形態において、前記電池パックの高さは、１００ｍｍ以上であってもよく、例えば１１０ｍｍ以上であってもよく、例えば１２０ｍｍ以上であってもよい。
【００２３】
一般に、電池パックの高さが１００ｍｍ以上になると、電池パックの高さが高くなるほど、ユーザが電池パックを持ち運んだり、電池パックを電気機器や充電器に着脱する際の取り扱いが困難となる。上記の構成によれば、電池パックの同じ側に、操作部と、貫通孔を備える把持部が設けられているので、ユーザは、電池パックを持ち運んだり、電池パックを電気機器や充電器に着脱する際の取り扱いを容易に行うことができる。
【００２４】
（実施例１）
図１に示す電池パック２は、電気機器（図示せず）に着脱可能に取り付けることができる。電気機器は、例えば、例えば電動ドリル、電動グラインダ、電動マルノコ、電動チェーンソー、電動レシプロソー等の電動工具であってもよいし、電動芝刈り機、電動刈払機、電動ブロア等の電動作業機であってもよいし、ライト、ラジオ等の他の電気機器であってもよい。電気機器に取り付けられると、電池パック２は、電気機器に電力を供給して放電する。また、電池パック２は、充電器（図示せず）に着脱可能に取り付けることができる。充電器に取り付けられると、電池パック２は、充電器から電力を供給されて充電する。
【００２５】
電池パック２は、電池モジュール１０（図２参照）と、電池モジュール１０を収容するケース１２を備えている。なお、以下の説明では、電池パック２に関して、電気機器や充電器に取り付けられた時に、電池パック２から見て電気機器や充電器が位置する方向を上方といい、その反対方向を下方という。また、電池パック２に関して、電気機器や充電器に取り付けられる時に、電池パック２をスライドさせる方向を後方といい、電気機器や充電器から取り外される時に、電池パック２をスライドさせる方向を前方という。すなわち、以下の説明において、前後方向は、電池パック２を電気機器または充電器に対してスライドさせるスライド方向に相当する。また、以下の説明では、電池パック２の上下方向の寸法を電池パック２の高さともいい、電池パック２の左右方向の寸法を電池パック２の幅ともいい、電池パック２の前後方向の寸法を電池パック２の奥行ともいう。
【００２６】
電池パック２の公称電圧は、例えば６４Ｖである。電池パック２の公称容量は、例えば５Ａｈである。電池パック２の前後方向の寸法（すなわち電池パック２の奥行）は、例えば２４０ｍｍ程度である。電池パック２の上下方向の寸法（すなわち電池パック２の高さ）は、例えば１２０ｍｍ程度である。電池パック２の左右方向の寸法（すなわち電池パック２の幅）は、例えば１８０ｍｍ程度である。電池パック２の重量は、例えば２．６ｋｇ程度である。なお、電池パック２の公称電圧、サイズ、重量は、後述する電池セル２０の個数等に応じて変化するものであり、上記の各数値は一例である。
【００２７】
図２に示すように、電池モジュール１０は、複数の電池セル２０（図３参照）と、複数の電池セル２０を保持するセルホルダ２２と、セルホルダ２２に固定された制御基板２４を備えている。
【００２８】
図３に示すように、複数の電池セル２０のそれぞれは、一方の端部に正極が形成され、他方の端部に負極が形成された、略円筒形状の二次電池セル、例えばリチウムイオン電池セルである。複数の電池セル２０は、長手方向が前後方向に沿うように配置されている。複数の電池セル２０のうちの半分は、電池パック２の前方部分に配置されており、複数の電池セル２０の残りの半分は、電池パック２の後方部分に配置されている。複数の電池セル２０は、上下方向および左右方向に並んで配置されている。本実施例では、複数の電池セル２０は、電池パック２の前方部分と後方部分のそれぞれにおいて、上下方向に３段に並んで配置されており、最下段には左右方向に５つ並んで配置されており、中央段には左右方向に６つ並んで配置されており、最上段には左右方向に５つ並んで配置されている。それぞれの電池セル２０の公称電圧は、例えば４Ｖである。それぞれの電池セル２０の公称容量は、例えば２．５Ａｈである。図２に示すセルホルダ２２は、樹脂製の部材であって、複数の電池セル２０を保持している。セルホルダ２２は、複数の電池セル２０の電極（正極または負極）と当接する複数のリード板２６を備えている。複数のリード板２６は、それぞれ、セルホルダ２２の上方に配置された制御基板２４に接続されている。
【００２９】
制御基板２４は、セルホルダ２２の上部に固定されている。制御基板２４は、前後方向および左右方向を含む平面に沿って配置されている。制御基板２４には、電池パック２が電気機器や充電器に取り付けられた際に、充放電や信号の送受信のために使用される複数の端子２８が設けられている。
【００３０】
図１に示すように、ケース１２は、下面側の前後方向に沿った角部が面取りされた略直方体形状に形成されており、上部ケース１４と、下部ケース１６に分割されている。上部ケース１４と下部ケース１６は、それぞれ、樹脂等の絶縁性材料から構成されている。上部ケース１４と下部ケース１６は、互いに固定されている。
【００３１】
上部ケース１４には、スライドレール３０と、端子受入部３２と、フック取付部３４が形成されている。スライドレール３０は、前後方向に沿って伸びており、上部ケース１４の上部の左右端部に配置されている。スライドレール３０は、電気機器や充電器に電池パック２を着脱する際に、電気機器のスライドレール（図示せず）や、充電器のスライドレール（図示せず）に対して、摺動可能に係合する。端子受入部３２は、複数の端子２８に対応して配置されており、電気機器や充電器に電池パック２を取り付ける際に、電気機器の端子（図示せず）や、充電器の端子（図示せず）を受け入れる。フック取付部３４は、上部ケース１４の前上部に配置されている。フック取付部３４には、フック３６が設けられている。フック３６は、樹脂製の部材であって、操作部３６ａと、係合部３６ｂを備えている。フック３６は、上下方向に移動可能に上部ケース１４に保持されている。フック３６は、図示しない圧縮バネによって上方向に向けて付勢されており、操作部３６ａや係合部３６ｂが下方に向けて押圧されると下方に移動する。係合部３６ｂは、電気機器や充電器に電池パック２が取り付けられた時に、電気機器のハウジング（図示せず）や充電器のハウジング（図示せず）に係合して、電気機器や充電器に電池パック２を固定する。電気機器や充電器から電池パック２を取り外す際には、ユーザが操作部３６ａを下方に押し下げることで、係合部３６ｂが下方に移動する。この状態で、電池パック２を前方にスライドさせることで、電気機器や充電器から電池パック２を取り外すことができる。図５に示すように、操作部３６ａは、後方に向かって深く窪んだ形状を有している。このため、ユーザが操作部３６ａに指をかけて操作部３６ａを下方に押し下げる際に、指が滑ることなく操作部３６ａを押し下げることができる。
【００３２】
図４に示すように、下部ケース１６には、把持部３８が形成されている。把持部３８は、下部ケース１６の前下部に配置されている。図５に示すように、下部ケース１６には、下部ケース１６の前面に向けて開口した前側開口３８ａと、下部ケース１６の下面に向けて開口した下側開口３８ｂと、前側開口３８ａと下側開口３８ｂを連通する貫通孔３８ｃが形成されており、貫通孔３８ｃによって把持部３８の外形が規定されている。ユーザは、人差し指、中指、薬指および小指を、前側開口３８ａおよび下側開口３８ｂの一方から差し入れ、貫通孔３８ｃを通過させて、前側開口３８ａおよび下側開口３８ｂの他方から突き出すことで、把持部３８を握り込んで電池パック２を片手で持ち上げることができる。また、ユーザは、人差し指、中指、薬指および小指を下側から把持部３８にかけて、親指で操作部３６ａを押し下げることで、電気機器や充電器からの電池パック２の取り外しを片手で行うことができる。
【００３３】
図４に示すように、下部ケース１６の下部には、保護膜４０が設けられている。保護膜４０は、例えばエラストマ等の弾性樹脂からなる。保護膜４０は、下部ケース１６の下面の角部近傍を覆っている。これによって、例えば電池パック２が落下した場合に、下部ケース１６の角部が損傷することを抑制することができる。図５に示すように、保護膜４０は、把持部３８の外側表面および貫通孔３８ｃの内側表面も覆っている。このため、ユーザが把持部３８を把持して電池パック２を持ち上げる際や、ユーザが把持部３８に指をかけて電気機器や充電器に対して電池パック２を着脱する際に、ユーザの指にかかる負荷を分散させることができる。
【００３４】
以上のように、本実施例の電池パック２は、電気機器または充電器に着脱可能である。電池パック２は、電池セル２０と、電池セル２０を収容するケース１２と、電気機器または充電器に係合可能な係合部３６ｂと、ユーザからの操作に応じて、係合部３６ｂを、電気機器または充電器に係合する状態から、電気機器または充電器に係合しない状態に切り換える操作部３６ａと、貫通孔３８ｃを備えており、ユーザが貫通孔３８ｃに指を貫通させて握り込むことが可能な把持部３８を備えている。操作部３６ａと把持部３８は、ケース１２の同じ側に配置されている。
【００３５】
上記の構成によれば、電池パック２を運搬する際には、ユーザは、指を貫通孔３８ｃに貫通させて把持部３８を握り込むことで、電池パック２を容易に持ち上げることができる。また、上記の構成によれば、電池パック２を電気機器や充電器から取り外す際には、ユーザは、指（例えば人差し指、中指、薬指および小指）を把持部３８にかけた状態で、他の指（例えば親指）で操作部３６ａを操作することで、電池パック２を電気機器や充電器から容易に取り外すことができる。上記の構成によれば、電池パック２のサイズや重量が増大した場合でも、ユーザが電池パック２の取り扱いを容易に行うことができる。
【００３６】
本実施例の電池パック２では、把持部３８は、ケース１２と一体的に形成されている。
【００３７】
上記の構成によれば、部品点数を増大させることなく、電池パック２に把持部３８を設けることができる。
【００３８】
本実施例の電池パック２は、把持部３８を覆う保護膜４０をさらに備えている。
【００３９】
上記の構成によれば、ユーザが把持部３８を握り込んで電池パック２を持ち上げる際や、ユーザが把持部３８に指をかけて電気機器や充電器から電池パック２を取り外す際に、ユーザの指にかかる負荷を分散させることができる。
【００４０】
本実施例の電池パック２の重量は、２．０ｋｇ以上であり、例えば２．３ｋｇ以上であり、例えば２．６ｋｇ以上である。
【００４１】
一般に、電池パック２の重量が２．０ｋｇ以上になると、電池パック２の重量が重くなるほど、ユーザが電池パック２を持ち運んだり、電池パック２を電気機器や充電器に着脱する際の取り扱いが困難となる。上記の構成によれば、電池パック２の同じ側に、操作部３６ａと、貫通孔３８ｃを備える把持部３８が設けられているので、ユーザは、電池パック２を持ち運んだり、電池パック２を電気機器や充電器に着脱する際の取り扱いを容易に行うことができる。
【００４２】
本実施例の電池パック２の高さは、１００ｍｍ以上であり、例えば１１０ｍｍ以上であり、例えば１２０ｍｍ以上である。
【００４３】
一般に、電池パック２の高さが１００ｍｍ以上になると、電池パック２の高さが高くなるほど、ユーザが電池パック２を持ち運んだり、電池パック２を電気機器や充電器に着脱する際の取り扱いが困難となる。上記の構成によれば、電池パック２の同じ側に、操作部３６ａと、貫通孔３８ｃを備える把持部３８が設けられているので、ユーザは、電池パック２を持ち運んだり、電池パック２を電気機器や充電器に着脱する際の取り扱いを容易に行うことができる。
【００４４】
（実施例２）
図６、図７に、本実施例に係る電池パック１０２を示す。本実施例の電池パック１０２は、実施例１の電池パック２と略同様の構成を備えている。以下では、本実施例の電池パック１０２について、実施例１の電池パック２と相違する点のみについて説明する。
【００４５】
本実施例の電池パック１０２では、実施例１の電池パック２とは異なり、下部ケース１６に把持部３８が形成されていない。電池パック１０２では、下部ケース１６の前下部に、把持ベルト１０４が取り付けられている。把持ベルト１０４は、例えば弾性樹脂からなる。把持ベルト１０４は、一端が下部ケース１６の前左角部に固定されており、他端が下部ケース１６の前右角部に固定されている。図７に示すように、電池パック２を上方から平面視したときに、把持ベルト１０４は略円弧形状を有している。下部ケース１６の前面と把持ベルト１０４の後面の間には、ユーザが人差し指、中指、薬指および小指を貫通させることが可能な貫通孔１０４ａが形成されている。ユーザは、人差し指、中指、薬指および小指を、貫通孔１０４ａの上側または下側から差し入れ、貫通孔１０４ａを通過させて、貫通孔１０４ａの下側または上側から突き出すことで、把持ベルト１０４を握り込んで電池パック１０２を持ち上げることができる。また、ユーザは、人差し指、中指、薬指および小指を下側から把持ベルト１０４にかけて、親指で操作部３６ａを押し下げることで、電気機器や充電器からの電池パック１０２の取り外しを片手で行うことができる。
【００４６】
以上のように、本実施例の電池パック１０２は、電気機器または充電器に着脱可能である。電池パック２は、電池セル２０と、電池セル２０を収容するケース１２と、電気機器または充電器に係合可能な係合部３６ｂと、ユーザからの操作に応じて、係合部３６ｂを、電気機器または充電器に係合する状態から、電気機器または充電器に係合しない状態に切り換える操作部３６ａと、貫通孔１０４ａを備えており、ユーザが貫通孔１０４ａに指を貫通させて握り込むことが可能な把持ベルト１０４（把持部の例）を備えている。操作部３６ａと把持ベルト１０４は、ケース１２の同じ側に配置されている。
【００４７】
上記の構成によれば、電池パック１０２を運搬する際には、ユーザは、指を貫通孔１０４ａに貫通させて把持ベルト１０４を握り込むことで、電池パック１０２を容易に持ち上げることができる。また、上記の構成によれば、電池パック１０２を電気機器や充電器から取り外す際には、ユーザは、指（例えば人差し指、中指、薬指および小指）を把持ベルト１０４にかけた状態で、他の指（例えば親指）で操作部３６ａを操作することで、電池パック１０２を電気機器や充電器から容易に取り外すことができる。上記の構成によれば、電池パック１０２のサイズや重量が増大した場合でも、ユーザが電池パック１０２の取り扱いを容易に行うことができる。
【００４８】
本実施例の電池パック１０２では、把持ベルト１０４は、ケース１２とは別個の部品として設けられている。
【００４９】
上記の構成によれば、実施例１の電池パック２のように、貫通孔３８ｃを備える把持部３８をケース１２と一体的に形成する必要がないので、ケース１２の強度低下を抑制することができる。
【００５０】
本実施例の電池パック１０２では、ケース１２に両端が取り付けられた把持ベルト１０４が把持部として機能する。
【００５１】
上記の構成によれば、簡素な構成によって、電池パック１０２に把持部を設けることができる。
【００５２】
本実施例の電池パック１０２の重量は、２．０ｋｇ以上であり、例えば２．３ｋｇ以上であり、例えば２．６ｋｇ以上である。
【００５３】
一般に、電池パック１０２の重量が２．０ｋｇ以上になると、電池パック１０２の重量が重くなるほど、ユーザが電池パック１０２を持ち運んだり、電池パック１０２を電気機器や充電器に着脱する際の取り扱いが困難となる。上記の構成によれば、電池パック１０２の同じ側に、操作部３６ａと、貫通孔１０４ａを備える把持ベルト１０４が設けられているので、ユーザは、電池パック１０２を持ち運んだり、電池パック１０２を電気機器や充電器に着脱する際の取り扱いを容易に行うことができる。
【００５４】
本実施例の電池パック１０２の高さは、１００ｍｍ以上であり、例えば１１０ｍｍ以上であり、例えば１２０ｍｍ以上である。
【００５５】
一般に、電池パック１０２の高さが１００ｍｍ以上になると、電池パック１０２の高さが高くなるほど、ユーザが電池パック１０２を持ち運んだり、電池パック１０２を電気機器や充電器に着脱する際の取り扱いが困難となる。上記の構成によれば、電池パック１０２の同じ側に、操作部３６ａと、貫通孔１０４ａを備える把持ベルト１０４が設けられているので、ユーザは、電池パック１０２を持ち運んだり、電池パック１０２を電気機器や充電器に着脱する際の取り扱いを容易に行うことができる。
【００５６】
（実施例３）
図８、図９に、本実施例に係る電池パック２０２を示す。本実施例の電池パック２０２は、実施例１の電池パック２と略同様の構成を備えている。以下では、本実施例の電池パック２０２について、実施例１の電池パック２と相違する点のみについて説明する。
【００５７】
本実施例の電池パック２０２では、実施例１の電池パック２とは異なり、下部ケース１６に把持部３８が形成されていない。電池パック２０２では、上部ケース１４の前部に、把持ハンドル２０４が取り付けられている。把持ハンドル２０４は、丸棒形状の金属部材を屈曲させて形成されている。把持ハンドル２０４は、左右方向に直線状に伸びる直線部２０４ａと、直線部２０４ａの左端部から上方に屈曲し、さらに後方に屈曲する左屈曲部２０４ｂと、左屈曲部２０４ｂの後端から右方に屈曲した左係合部２０４ｃと、直線部２０４ａの右端部から上方に屈曲し、さらに後方に屈曲する右屈曲部２０４ｄと、右屈曲部２０４ｄの後端から左方に屈曲した右係合部２０４ｅを備えている。把持ハンドル２０４の左係合部２０４ｃと右係合部２０４ｅは、上部ケース１４のスライドレール３０に係合している。把持ハンドル２０４の直線部２０４ａは、フック３６の操作部３６ａよりも下方に配置されている。下部ケース１６の前面と把持ハンドル２０４の直線部２０４ａの後面の間には、ユーザが人差し指、中指、薬指および小指を貫通させることが可能な貫通孔２０４ｆが形成されている。ユーザは、人差し指、中指、薬指および小指を、貫通孔２０４ｆの上側または下側から差し入れ、貫通孔２０４ｆを通過させて、貫通孔２０４ｆの下側または上側から突き出すことで、把持ハンドル２０４を握り込んで電池パック２０２を持ち上げることができる。また、ユーザは、人差し指、中指、薬指および小指を下側から把持ハンドル２０４にかけて、親指で操作部３６ａを押し下げることで、電気機器や充電器からの電池パック２０２の取り外しを片手で行うことができる。
【００５８】
以上のように、本実施例の電池パック２０２は、電気機器または充電器に着脱可能である。電池パック２０２は、電池セル２０と、電池セル２０を収容するケース１２と、電気機器または充電器に係合可能な係合部３６ｂと、ユーザからの操作に応じて、係合部３６ｂを、電気機器または充電器に係合する状態から、電気機器または充電器に係合しない状態に切り換える操作部３６ａと、貫通孔２０４ｆを備えており、ユーザが貫通孔２０４ｆに指を貫通させて握り込むことが可能な把持ハンドル２０４（把持部の例）を備えている。操作部３６ａと把持ハンドル２０４は、ケース１２の同じ側に配置されている。
【００５９】
上記の構成によれば、電池パック２０２を運搬する際には、ユーザは、指を貫通孔２０４ｆに貫通させて把持ハンドル２０４を握り込むことで、電池パック２０２を容易に持ち上げることができる。また、上記の構成によれば、電池パック２０２を電気機器や充電器から取り外す際には、ユーザは、指（例えば人差し指、中指、薬指および小指）を把持ハンドル２０４にかけた状態で、他の指（例えば親指）で操作部３６ａを操作することで、電池パック２０２を電気機器や充電器から容易に取り外すことができる。上記の構成によれば、電池パック２０２のサイズや重量が増大した場合でも、ユーザが電池パック２０２の取り扱いを容易に行うことができる。
【００６０】
本実施例の電池パック２０２では、把持ハンドル２０４は、ケース１２とは別個の部品として設けられている。
【００６１】
上記の構成によれば、実施例１の電池パック２のように、貫通孔３８ｃを備える把持部３８をケース１２と一体的に形成する必要がないので、ケース１２の強度低下を抑制することができる。
【００６２】
本実施例の電池パック２０２では、ケース１２に両端が取り付けられた金属製の把持ハンドル２０４が、把持部として機能する。
【００６３】
上記の構成によれば、簡素な構成によって、電池パック２０２に把持部を設けることができる。
【００６４】
本実施例の電池パック２０２の重量は、２．０ｋｇ以上であり、例えば２．３ｋｇ以上であり、例えば２．６ｋｇ以上である。
【００６５】
一般に、電池パック２０２の重量が２．０ｋｇ以上になると、電池パック２０２の重量が重くなるほど、ユーザが電池パック２０２を持ち運んだり、電池パック２０２を電気機器や充電器に着脱する際の取り扱いが困難となる。上記の構成によれば、電池パック２０２の同じ側に、操作部３６ａと、貫通孔２０４ｆを備える把持ハンドル２０４が設けられているので、ユーザは、電池パック２０２を持ち運んだり、電池パック２０２を電気機器や充電器に着脱する際の取り扱いを容易に行うことができる。
【００６６】
本実施例の電池パック２０２の高さは、１００ｍｍ以上であり、例えば１１０ｍｍ以上であり、例えば１２０ｍｍ以上である。
【００６７】
一般に、電池パック２０２の高さが１００ｍｍ以上になると、電池パック２０２の高さが高くなるほど、ユーザが電池パック２０２を持ち運んだり、電池パック２０２を電気機器や充電器に着脱する際の取り扱いが困難となる。上記の構成によれば、電池パック２０２の同じ側に、操作部３６ａと、貫通孔２０４ｆを備える把持ハンドル２０４が設けられているので、ユーザは、電池パック２０２を持ち運んだり、電池パック２０２を電気機器や充電器に着脱する際の取り扱いを容易に行うことができる。
【００６８】
上記の各実施例では、電池パック２，１０２，２０２が３２個の電池セル２０を備えており、電池パック２，１０２，２０２の公称電圧が６４Ｖであり、電池パック２，１０２，２０２の公称容量が５Ａｈの場合について説明した。これとは異なり、例えば電池パック２，１０２，２０２が１６個の電池セル２０を備えており、電池パック２，１０２，２０２の公称電圧が６４Ｖであり、電池パック２，１０２，２０２の公称容量が２．５Ａであってもよい。
【００６９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００７０】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的な有用性を持つものである。
【符号の説明】
【００７１】
２        ：電池パック
１０      ：電池モジュール
１２      ：ケース
１４      ：上部ケース
１６      ：下部ケース
２０      ：電池セル
２２      ：セルホルダ
２４      ：制御基板
２６      ：リード板
２８      ：端子
３０      ：スライドレール
３２      ：端子受入部
３４      ：フック取付部
３６      ：フック
３６ａ    ：操作部
３６ｂ    ：係合部
３８      ：把持部
３８ａ    ：前側開口
３８ｂ    ：下側開口
３８ｃ    ：貫通孔
４０      ：保護膜
１０２    ：電池パック
１０４    ：把持ベルト
１０４ａ  ：貫通孔
２０２    ：電池パック
２０４    ：把持ハンドル
２０４ａ  ：直線部
２０４ｂ  ：左屈曲部
２０４ｃ  ：左係合部
２０４ｄ  ：右屈曲部
２０４ｅ  ：右係合部
２０４ｆ  ：貫通孔
【図１】
2020107438.tif 000003
【図２】
2020107438.tif 000004
【図３】
2020107438.tif 000005
【図４】
2020107438.tif 000006
【図５】
2020107438.tif 000007
【図６】
2020107438.tif 000008
【図７】
2020107438.tif 000009
【図８】
2020107438.tif 000010
【図９】
2020107438.tif 000011